(57)【特許請求の範囲】
【請求項１】
弾性部を介して一体に構成された二の把持部、二の把持部の先端に固定したレザー挿着部材及び該レザー挿着部材の固定部材、一の把持部に着設した過剰開放阻止部材の係止部材、該係止部材から他の把持部に配設された過剰開放阻止部材、並びにレザーの刃先を被覆する凸部とレザーの刃先を露出する凹部とを交互に連設した二の安全カバーを有する二のレザーからなる毛髪処理用ダブルレザー機具。
【請求項２】
二の把持部が、先端部の一部を残して滑り止め部材で被覆されている請求項１に記載の毛髪処理用ダブルレザー機具。
【請求項３】
レザー挿着部材が、レザーの刃先を被覆する凸部とレザーの刃先を露出する凹部とを交互に連設した安全カバーを有するレザーを挿着する構造からなる請求項１に記載の毛髪処理用ダブルレザー機具。
【請求項４】
レザー挿着部材の固定部材が、把持部に挿着係止されている請求項１に記載の毛髪処理用ダブルレザー機具。
【請求項５】
把持部、レザー挿着部材、レザー挿着部材の固定部材、係止部材及び過剰開放阻止部材が、耐腐食性部材からなる請求項１に記載の毛髪処理用ダブルレザー機具。
【発明の詳細な説明】
【０００１】
【発明の属する技術分野】
本発明は、素人でも容易に、かつ安全に毛髪をレザー・カットできる毛髪処理用ダブルレザー機具に関する。更に詳しくは、本発明は、弾性部を介して一体に構成された二の把持部、二の把持部の先端に固定したレザー挿着部材及び該レザー挿着部材の固定部材、一の把持部に着設した過剰開放阻止部材の係止部材、該係止部材から他の把持部に配設された過剰開放阻止部材、並びにレザーの刃先を被覆する凸部とレザーの刃先を露出する凹部とを交互に連設した二の安全カバー（以下、レザーの刃先を被覆する凸部とレザーの刃先を露出する凹部とを交互に連設した安全カバーを、単に「安全カバー」と記載する。）を有する二のレザーからなる毛髪処理用ダブルレザー機具に関する。
【０００２】
【従来の技術】
従来、理容店及び美容院（以下、これらをまとめて「美容院等」と記載する。）で実施するレザーカットは、熟練した理容師及び美容師が西洋かみそりを使用して行われていた。即ち、理容師及び美容師が客の毛髪の一定量を片手で把持し、他方の手で西洋かみそりを毛髪に接触させて手前に引き寄せ、毛髪を削ぎ落としていた。そのため、毛髪を削ぎ落とす程度、量等は理容師及び美容師が経験から判断しなければならず、熟練が必要であり、かつ西洋かみそりを手前に引き寄せるので、理容師及び美容師が手に傷を負う恐れもあった。
【０００３】
前記のような、従来技術の欠点を改良するために、例えば次のようなレザー鋏が開発された。
１）鋏の刃の部分に２枚のレザーを対向させ、レザー取付角度を１８０度以下に取付け、鋏の刃を閉じたときレザーの刃先が突き合うようにしたレザーばさみ（特許第２６９３３７６号公報。以下、従来技術１と記載する。）が知られている。
【０００４】
２）支軸から二方向に柄を出し、一方の柄にレザーを付け、もう一方の柄に受け台を付け、両方の柄に指入れを突けた、はさみ型毛髪レザー（特開平９−３１３７５１号公報。以下、従来技術２と記載する。）が知られている。
【０００５】
３）一方の刃と他方の刃よりなるハサミに於いて、少なくとも上記一方の刃と他方の刃のいずれか片方の刃の峰部に、その略中央部から根元側にかけてカミソリ刃を形成したことを特徴とするハサミ（実公昭６０−５０９５１号公報。以下、従来技術３と記載する。）が知られている。
【０００６】
しかしながら、前記の従来技術には次のような欠点又は不都合があった。前記従来技術１においては、特許公報の作用の欄に、「一定の開度を維持又は開度を狭めながら引くことで、つかんだ毛髪の上下で、しかも同時にレザーカットを行うことができる。」（第３欄２８〜３１行）と記載されているが、この操作は極めて困難であり、熟練が必要であった。また、刃の取付けが捩子式なので簡単にレザーを交換できない欠点があり、二本の指で鋏が固定されているので、自由な角度で毛髪に鋏を接触できないという不都合があった。更に、鋏の先端に刃先が露出しているので、客の頭部に傷を付ける可能性もあり、安全上も問題があった。
【０００７】
前記従来技術２及び前記従来技術３も、前記従来技術１と同様に、二本の指で鋏が固定されているので、自由な角度で毛髪に鋏を接触できないこと、及び毛髪を処理する操作が困難であって、素人にはできないという不都合があった。また、前記いずれの従来技術も、使用する刃が特殊なものであるため、使用により切れなくなった刃の交換には多額の費用が掛かり、かつ交換に時間を要する不都合があった。
【０００８】
【発明が解決しようとする課題】
本発明者は、美容師として実務を行いながら前記従来技術を改良するため、鋭意研究を重ねた結果、前記従来技術の欠点及び不都合を全て解決した毛髪処理用ダブルレザー機具を完成した。
【０００９】
本発明の目的は、誰でも簡単に操作が可能であり、刃の交換が容易であり、自由な角度で毛髪を処理することが可能であり、安全性が確保されており、かつ、市販のレザーを使用できるため、レザーの交換が安価である毛髪処理用ダブルレザー機具を提供することである。
【００１０】
【課題を解決するための手段】
前記課題を解決する本発明は、弾性部を介して一体に構成された二の把持部、二の把持部の先端に固定したレザー挿着部材及び該レザー挿着部材の固定部材、一の把持部に着設した過剰開放阻止部材の係止部材、該係止部材から他の把持部に配設された過剰開放阻止部材、並びに二の安全カバーを有するレザーからなる毛髪処理用ダブルレザー機具であり、二の把持部が、先端部の一部を残して滑り止め部材で被覆されていること、レザー挿着部材が、安全カバーを有するレザーを挿着する構造からなること、及びレザー挿着部材の固定部材が、把持部に挿着係止されていること、及び把持部、レザー挿着部材、レザー挿着部材の固定部材、係止部材及び過剰開放阻止部材が、耐腐食性部材からなるを望ましい態様としている。
【００１１】
【発明の実施の形態】
次に本発明について、本発明の一態様を示す図面に基づいて詳細に説明するが、発明の理解を容易にするために、図面に基き符号をカッコで記載して説明する。しかしながら、本発明は図面に例示した態様に限定されるものではない。
【００１２】
図１は、本発明の一実施態様を示す表面外観図であり、図中１及び２は滑り止めを配設した把持部、３は弾性部、４及び５は把持部の滑り止めを配設していない部分、６は過剰開放阻止部材の係止部材、７は過剰開放阻止部材、８及び９はレザー挿着部材の固定部材、１０及び１１はレザー挿着部材、１２及び１３は安全カバーを有するレザーを示す。図２は、本発明の一実施態様を示す裏面の拡大外観を示し、安全カバーを有するレザーを本体から取り外した図であり、図中１６及び１７はレザーである。
【００１３】
前記のとおり本発明の毛髪処理用ダブルレザー機具は、
▲１▼弾性部を介して一体に構成された二の把持部
▲２▼二の把持部の先端に固定したレザー挿着部材
▲３▼該レザー挿着部材の固定部材
▲４▼一の把持部に着設した過剰開放阻止部材の係止部材
▲５▼該係止部材から他の把持部に配設された過剰開放阻止部材
▲６▼二の安全カバーを有するレザー
から構成されている。
【００１４】
図１に示すとおり二本の把持部（１及び２）は、例えばアイストングのように弾力性のある部分（３）を介して一体に構成されており、掌で保持しやすいようにするため及びレザー挿着部材を固定するために円筒形に成形されているのが望ましい。また、本発明の毛髪処理用ダブルレザー機具は、親指と他の四本の指とで二本の把持部を開閉し、二本の安全カバーを有するレザー（１２及び１３）で毛髪を処理するので、レザー挿着部材の固定部材（８及び９）を捩子止めする先端部分を除き、把持部が滑らないように滑り止め部材、例えばビニール、合成ゴム等で被覆されているのが望ましい。
【００１５】
また、二本の把持部（１及び２）は、長期間の使用、洗浄、客に与える印象等にから腐食しないよう、例えばステンレス、硬質プラスチック等の耐腐食性を有する材料により製造されているのが望ましい。尚、二本の把持部（１及び２）は、図１に示すとおり円筒形であるのが望ましいが、掌で把持しやすい形状であれば、例えば多角形等であってもよい。
【００１６】
二本のレザー挿着部材の固定部材（８及び９）は、いずれも一端を把持部に挿入して捩子等で固定されており、図１では円筒形の形状を例示しているが、把持部に挿入し得る形状であって、かつレザー挿着部材（１０及び１１）を取付け、二本の安全カバーを有するレザーが良好に噛合う形状であれば、如何なる形状であってもよい。また、前記把持部と同様の理由からこの固定部材も例えばステンレス、硬質プラスチック等の耐腐食性であることが望ましい。
【００１７】
前記レザー挿着部材の固定部材（８及び９）に固定した二本のレザー挿着部材（１０及び１１）は、例えばアルファベットのＣの文字を上下から押し潰した形状をしており、開放している部分に安全カバーを有するレザーを挿着させることができる。従って、レザーを交換する場合、前記従来技術のように捩子で係止する等の繁雑な操作が不要であり、簡単迅速に安全カバーを有するレザーを新品と交換することができる。この操作の簡便性は、本発明者の美容師としての経験から、客で混雑している美容院等では極めて有効である。
【００１８】
二本の把持部のいずれか一本の把持部に着設した過剰開放阻止部材の係止部材（６）は、把持部に例えば熔接等の方法により着設されており、この係止部材には他の把持部に配設された過剰開放阻止部材（７）を、例えば熔接等の方法により着設されている。この係止部材（６）も前記把持部と同様の理由から、例えばステンレス硬質プラスチック等の耐腐食性を有する材料により製造されているのが望ましい。
【００１９】
前記過剰開放阻止部材（７）は、把持部が過剰に開くことを防止する目的を有しており、安全カバーを有するレザーの先端部分が、通常３〜６ｃｍ、望ましくは約４ｃｍ、に開くように過剰開放阻止部材（７）の長さを調整する。この過剰開放阻止部材（７）の長さは、使用者の好みにより任意に調整することが可能である。また、この過剰開放阻止部材（７）も前記把持部と同様の理由から、例えばステンレス等の耐腐食性を有する材料により製造されているのが望ましい。
【００２０】
二本の安全カバーを有するレザー（１２及び１３）は、図２に示すとおり、安全カバーとレザー（１６及び１７）から構成されており、安全カバーの凸部により直接表面に刃が露出しないよう構成されているので、使用者及び客への安全が確保されている。本発明に使用する安全カバーを有するレザーは、従来技術の刃のように特殊なものではなく、市販品を使用することができる。
【００２１】
次に本発明の毛髪処理用ダブルレザー機具の作用について説明する。一方の手でレザーカットをする毛髪の所定量を持ち上げ、他方の手に持った本発明の毛髪処理用ダブルレザー機具を一杯に開き、毛髪を安全カバーを有するレザーで任意の角度で挟み、毛髪処理用ダブルレザー機具を毛髪の末端に引くことにより、安全カバーを有するレザーの凹部のレザーに接している毛髪が削ぎ落とされる。この処理過程において、本発明の毛髪処理用ダブルレザー機具は、次のとおりの作用を発揮する。
【００２２】
１）安全カバーを有するダブルレザーの凸部が相互に接触し、凹部相互に隙間ができるので、その部分に挟まれた毛髪は切断されず、希望する毛髪の長さを確実に残すことが可能である。
２）本発明の毛髪用ダブルレザー機具そのものの有する重量により、使用者が必要以上の力を加えることなく、スムーズに毛髪を切断することができる。
３）従来技術では毛髪量の調節を行う場合、四方向からの処理操作が不可欠であったが、本発明の毛髪用ダブルレザー機具では二方向からの処理操作により実質的に同一の処理を行うことが可能である。
４）毛髪に対して負荷の少ない理想的なレザーの角度を設定することができる。
５）フェイスラインにシャギーを入れる場合、従来技術では引き出した毛髪の束の左側を逆手で切除していたが、本発明の毛髪用ダブルレザー機具は一方のレザーをに使用することもできるので、左側のレザーのみを使用し、右手の位置及び形は従来のとおり処理することが可能である。
６）毛髪の束を横に引き出し、その上側及び下側の毛髪を処理する場合、本発明の毛髪用ダブルレザー機具の上側には左のレザーを、下側には右側のレザーを使用することにより、右手を大きく上下する必要がなく、毛髪を処理することが可能である。
７）毛髪を外ハネスタイルに処理する場合、毛髪の束を横に引き出し、本発明の毛髪用ダブルレザー機具の二枚のレザーで毛髪を上下に挟み、アルファベットのＣ字状に引き上げながら上にカーブさせることにより、容易に所望のスタイルに処理することが可能である。
８）毛髪を内巻きスタイルに処理する場合、毛髪の束を横に引き出し、本発明の毛髪用ダブルレザー機具の二枚のレザーで毛髪を上下に挟み、アルファベットのＣ字状に引き下げながら下にカーブさせることにより、容易に所望のスタイルに処理することが可能である。
【００２３】
本発明の毛髪用ダブルレザー機具は、前記のとおりの作用を有するが、安全カバーを有するレザーが客の頭部又は使用者の手に触れても傷付くことがない。また、毛髪を挟むときに自由な角度で挟むことができ、かつ把持部を掌全体で保持することができるので、指だけで支えている従来のものよりも、自由、かつ簡単に毛髪をレザーカットすることが可能である。従って、本発明の毛髪処理用ダブルレザー機具は、レザーカット技術のない素人又はレザーカット技術の未熟な理容師及び美容師でも容易に毛髪をレザーカットすることができる利点を有している。
【００２４】
次に実施例を示して本発明を更に詳細に説明するが、本発明は以下の実施例に限定されるものではない。
【００２５】
【実施例】
実施例
図１に表面外観図を示すとおり、長さ約５ｃｍ、幅約１ｃｍの弾性部（３）、外径約１ｃｍ、長さ約１１．５ｃｍの二本の把持部（１及び２）、直径約０．６ｃｍ、長さ約９ｃｍ二本のレザー挿着部材の固定部材（８及び９）、長さ約７ｃｍ二本のレザー挿着部材（１０及び１１）をステンレス製板から常法により次のとおり製造した。
【００２６】
縦約３．２ｃｍ、横約２８ｃｍ、厚さ約０．２ｃｍのステンレス製板の中央部分の上下から、縦約１．１ｃｍ、横約５ｃｍを切除して弾性部を形成し、切除していない両端を円筒形に成形して熔接し、中央部分をアルファベットのＵ字形に曲折し、二本の先端部分から約２ｃｍを残して常法により合成ゴムで被覆し、二本の先端部分から約１ｃｍの部分に捩子止めする孔を設け、図１に示すように弾性部（３）を介して部分的に滑り止めを配設した二本の把持部（１及び２）を製造した。
【００２７】
一方の把持部（８）に過剰開放阻止部材（６）として縦約１．５ｃｍ、横約０．９ｃｍ、厚さ約０．２ｃｍのステンレス製板を熔接し、過剰開放阻止部材（７）として直径約０．３ｃｍ、長さ約９ｃｍのステンレス製針金を図１に示すとおり、アルファベットのＵ字形に、かつ約１ｃｍの幅に曲折し、過剰開放阻止部材（６）に熔接し、図１に示すように、Ｕ字形に成形した過剰開放阻止部材（６）に他の把持部を通した。
【００２８】
これとは別にレザー挿着部材の固定部材（８及び９）として直径約０．６ｃｍ、長さ９ｃｍのステンレス製棒二本の一端に、捩子用の孔を設け、孔設部より約１ｃｍ離れた部分からレザー挿着部材（１０及び１１）として図２に示す形状のステンレス製板を曲折して熔接し、前記二本のレザー挿着部材の固定部材（８及び９）を、前記把持部の先端口に挿入し、捩子により係止した。
【００２９】
次いで前記二本のレザー挿着部材（１０及び１１）に、それぞれ市販の安全カバーを有するフェザースタイリングコームガード（フェザー安全かみそり社製。）２枚（１２及び１３）を挿着し、本発明の毛髪処理用ダブルレザー機具を製造した。尚、以上の製造においてステンレス製板の切り口を切削して丸みを帯びるように加工するのは当然のことである。
【００３０】
以上のようにして製造した本発明の毛髪処理用ダブルレザー機具は、誰でも簡単に操作が可能であり、刃の交換が容易であり、自由な角度で、安全に毛髪を処理することが可能な優れた機能を有していた。
【００３１】
【発明の効果】
以上詳細に説明したとおり、本発明は、弾力性を有する部材を介して一体に構成された二の把持部、二の把持部の先端に固定したレザー挿着部材、一の把持部に固定した過剰開放阻止部材、及び二の安全カバーを有するレザーからなる毛髪処理用ダブルレザー機具であり、本発明により奏される効果は次のとおりである。
【００３２】
１）前記作用の説明に記載したとおりの作用を有するので、毛髪の長さを揃える場合、毛髪の量を少なくする場合、毛髪のアウトラインをぼかす場合、毛髪を外ハネにする場合、毛髪を内巻きにする場合、毛髪を立たせる場合等の多様な操作が一の機具で可能であり、従来のようにシザー、レザー、セニング等を使い分ける必要がないので、作業が極めて効率良く実施できる。
２）誰でも簡単に操作が可能である。
３）レザーの交換が容易である。
４）自由な角度で毛髪を処理することが可能である。
５）市販のレザーを使用できるため、レザーの交換が安価である。
【図面の簡単な説明】
【図１】図１は、本発明の一実施態様を示す表面外観図である。
【図２】図２は、本発明の一実施態様を示す裏面の拡大外観図であり、安全カバーを有するレザーを本体から取り外した図である。
【符号の説明】
１  滑り止めを配設した把持部
２  滑り止めを配設した把持部
３  弾性部
４  把持部の滑り止めのない部分
５  把持部の滑り止めのない部分
６  過剰開放阻止部材の係止部材
７  過剰開放阻止部材
８  レザー挿着部材の固定部材
９  レザー挿着部材の固定部材
１０  レザー挿着部材
１１  レザー挿着部材
１２  安全カバーを有するレザー
１３  安全カバーを有するレザー
１４  前記固定部材の固定捩子
１５  前記固定部材の固定捩子
１６  レザー
１７  レザー
【図１】
0003668970.tif 000002
【図２】
0003668970.tif 000003